(57)【要約】【課題】  軽量で熱輸送効率が良好な熱交換システムを提供する。【解決手段】  ウイックが配設されているとともに、加熱されて蒸発しかつ凝縮する作動流体８が封入されているヒートパイプ１を主体とする熱交換システムにおいて、ヒートパイプ１は、蒸発部２と凝縮部３とが液戻り管４と蒸気管５とによって連通されて全体として環状流路に形成されるとともに、前記ウイック１３がイオン基を含む分子鎖を有した高吸水性樹脂によって形成され、前記蒸発部容器１２の内部に配設されている。【選択図】  図１
2006275423.tif 000002
【特許請求の範囲】
【請求項１】
ウイックによって凝縮性の液相作動流体を流動させて冷却するヒートパイプを主体とする熱交換システムにおいて、
前記ヒートパイプは、蒸発部と凝縮部とが液戻り管と蒸気管とによって連通されて全体として環状流路に形成され、前記ウイックがイオン基を含む分子鎖を有した高吸水性樹脂によって形成され、かつ前記蒸発部容器の内部に配設されていることを特徴とする熱交換システム。
【請求項２】
前記蒸発部が前記凝縮部よりも相対的に高い位置に配置されるとともに、前記液戻り管に、イオン基を含む分子鎖を有した高吸水性樹脂によって形成されたウイックが配設され、この高吸水性樹脂ウイックによって保持される液相の作動流体によって水柱が形成されていることを特徴とする請求項１に記載の熱交換システム。
【請求項３】
前記液戻り管の内部に、前記高吸水性樹脂によるウイックを、前記液戻り管の流通方向で分割して支持する支持ウイックが配設されていることを特徴とする請求項２に記載の熱交換システム。
【請求項４】
前記液戻り管の外部に断熱材が設けられ、前記液戻り管の内部が所定の温度に設定されていることを特徴とする請求項２または３に記載の熱交換システム。
【請求項５】
ウイックによって、凝縮性の液相作動流体を流動させて冷却する熱交換システムにおいて、
気密状態に密閉されたヒートパイプコンテナの内部に前記作動流体が封入されるとともに、このコンテナの内部にイオン基を含む分子鎖を有した高吸水性樹脂で形成される前記ウイックが配置され、ヒートパイプコンテナの入熱部から放熱部に凝縮した前記液相作動流体が還流するように構成されていることを特徴とする熱交換システム。
【発明の詳細な説明】
【技術分野】
【０００１】
この発明は、ヒートパイプにおけるウイックによって凝縮性の液相の作動流体を流動させて冷却を行う熱交換システムに関するものである。
【背景技術】
【０００２】
従来、ウイックのポンプ作用によって流体を循環流動させるヒートパイプを使用した熱交換システムがある。このような熱交換システムでは、例えば前記熱交換システムにおける容器、あるいは流路等に凝縮性の作動流体を封入し、前記ウイックに生じる毛細管圧力によって前記作動流体を流動させる。その結果、熱交換システムの入熱の行う箇所から放熱を行う箇所まで、前記作動流体の潜熱として熱を輸送し冷却できる。そのような熱交換システムの一例が、特許文献１に記載されている。
【特許文献１】特開２００４−０２８４４４号公報
【発明の開示】
【発明が解決しようとする課題】
【０００３】
上記の熱交換システムでは、主に金属性の多孔質体をウイックとして使用している。そのため、熱交換システムの重量が不可避的に増大してしまうという不都合がある。また、熱交換システムのウイックの毛細管圧力を増大する場合、前記ウイックの孔を縮小する必要がある。その場合、例えば焼結金属ウイック等であれば粒径の小さい金属を大量に使用するので、重量が増大し、同時に体積も増大してしまう。熱交換システムの内部におけるウイックの体積が増大すると、内部の作動流体に対する流動抵抗が増大し、その結果、効率よく熱輸送されないおそれがある。そのため、前記熱交換システムは改良の余地が多分にあった。
【０００４】
この発明は、上記の技術的課題に着目してなされたものであり、軽量で熱輸送効率が良好な熱交換システムを提供することを目的とするものである。
【課題を解決するための手段】
【０００５】
上記の目的を達成するために、請求項１の発明は、ウイックによって凝縮性の液相作動流体を流動させて冷却するヒートパイプを主体とする熱交換システムにおいて、前記ヒートパイプは、蒸発部と凝縮部とが液戻り管と蒸気管とによって連通されて全体として環状流路に形成され、前記ウイックがイオン基を含む分子鎖を有した高吸水性樹脂によって形成され、かつ前記蒸発部容器の内部に配設されていることを特徴とする熱交換システムである。
【０００６】
また、請求項２の発明は、請求項１の構成に加えて、前記蒸発部が前記凝縮部よりも相対的に高い位置に配置されるとともに、前記液戻り管に、イオン基を含む分子鎖を有した高吸水性樹脂によって形成されたウイックが配設され、この高吸水性樹脂ウイックによって保持される液相の作動流体によって水柱が形成されていることを特徴とする熱交換システムである。
【０００７】
また、請求項３の発明は、請求項２の構成に加えて、前記液戻り管の内部に、前記高吸水性樹脂によるウイックを、前記液戻り管の流通方向で分割して支持する支持ウイックが配設されていることを特徴とする熱交換システムである。
【０００８】
また、請求項４の発明は、請求項２または３の構成に加えて、前記液戻り管の外部に断熱材が設けられ、前記液戻り管の内部が所定の温度に設定されていることを特徴とする熱交換システムである。
【０００９】
また、請求項５の発明は、ウイックによって、凝縮性の液相作動流体を流動させて冷却する熱交換システムにおいて、気密状態に密閉されたヒートパイプコンテナの内部に前記作動流体が封入されるとともに、このコンテナの内部にイオン基を含む分子鎖を有した高吸水性樹脂で形成される前記ウイックが配置され、ヒートパイプコンテナの入熱部から放熱部に凝縮した前記液相作動流体が還流するように構成されていることを特徴とする熱交換システムである。
【発明の効果】
【００１０】
請求項１の発明によれば、高吸水性樹脂であるウイックに作動流体が接触すると、高吸水性樹脂ウイックに毛細管圧力による吸引力と、ウイックの内部と外部とのイオン濃度の差によって生じる浸透圧による吸引力と、分子鎖の拡張作用による吸引力とが生じて、従来のウイックよりも高い吸引力を得ることができる。そのため、蒸発部容器の内周面のほぼ全体に対して液相の作動流体が供給され、蒸発部における実質的な入熱面積を広くすることができる。その結果、熱交換システムの冷却性能を向上できる。さらに、熱交換システムを軽量化できる。
【００１１】
さらに、請求項２の発明によれば、前記蒸発部が凝縮部よりも相対的に高い位置に配置されているので、作動流体が液戻り管の内部に配設された他の高吸水性樹脂ウイックに接触すると、上方に吸引されるとともに、前記ウイックの内部に所定量の液相の作動流体が保持されいわゆる水柱が形成される。そのため、蒸発部が凝縮部よりも相対的に高い位置に配置されていても、蒸発部に対する入熱の当初から、前記液戻り管から前記蒸発部の内部に液相の作動流体が補充される。その結果、前記作動流体の流動が円滑になって熱輸送量が増大し、熱交換システムの冷却性能を向上できる。また、熱交換システムを軽量化できる。
【００１２】
また、請求項３の発明によれば、液戻り管の内部に、所定間隔で支持ウイックが配置されているので、前記作動流体を保持して重量が増加した高吸水性樹脂ウイックが、前記支持ウイックによって支持される。そのため、前記高吸水性樹脂ウイックが重力によって下方に移動することを防止できるとともに、液相の作動流体を上方に移動できる。その結果、液相の作動流体を蒸発部に効率よく還流できる。
【００１３】
また、請求項４の発明によれば、断熱材によって液戻り管の内部を前記高吸水性樹脂であるウイックが正常動作を行う所定温度に設定できる。その結果、前記高吸水性樹脂によるウイックに効率よく吸引力が発生し、その結果、前記作動流体の流動をさらに円滑にできる。
【００１４】
また、請求項５の発明によれば、熱交換システムにおけるヒートパイプコンテナの内部に配設されたウイックが高吸水性樹脂によって形成されている。そのため、従来のウイックよりも高い吸引力を得ることができるので、作動流体の還流性を向上できる。その結果、熱交換システムの冷却性能を向上できると同時に軽量化できる。
【発明を実施するための最良の形態】
【００１５】
以下、本発明を実施した最良の形態について説明する。図３に示す熱交換システムは、ループ型ヒートパイプ１を主体として構成されている。このループ型ヒートパイプ１を形成している蒸発部２の流入口と凝縮部３の流出口とが、液戻り管４によって接続され、さらに蒸発部２の流出口と凝縮部３の流入口とが、液戻り管４よりも大径の蒸気管５によって接続され、全体として密閉された環状（ル−プ状）に形成されている。凝縮部３には、薄板状の放熱フィン７が設けられている。このヒートパイプ１の内部は、ほぼ完全に脱気された後に、水やアルコールなどの凝縮性の流体が作動流体８として封入されている。なお、この例では、蒸発部２が、凝縮部３よりも相対的に上方に配置されており、したがってヒートパイプ１はいわゆるトップヒートモードとして使用されている。
【００１６】
ヒートパイプ１における蒸発部２を図１および図２に示す。ここに示す蒸発部２は、円筒形に構成された複数の金属製のチューブ９と、その一端部を閉じるように取り付けられた流入カバー１０と、他方の端部を閉じるように前記チューブ９に取り付けられた流出カバー１１とによって蒸発部コンテナ１２が構成されている。この蒸発部コンテナ１２の内部には、ウイック１３が収容されている。
【００１７】
上記の蒸発部コンテナ１２を構成している各チューブ９の内周面には、多数の溝１４が形成されている。これらの溝１４は、蒸発部コンテナ１２の内周面の面積を増大するように機能し、また後述するように作動流体蒸気１５の流路となるものであって、チューブ９の軸線方向に向けて形成されている。なお、この溝１４は、螺旋状に形成してもよく、またチューブ９の内周面の一部に形成されていてもよい。
【００１８】
チューブ９の一方の端部に取り付けられている流入カバー１０には、前述した液戻り管４を接続するための流入ポート１６が形成されている。また、チューブ９の他方の端部に取り付けられている流出カバー１１には、前述した蒸気管５を接続するための流出ポート１７が形成されている。したがってこれらの各ポート１６，１７がそれぞれ接続部となっている。
【００１９】
つぎに、ウイック１３について説明すると、図１に示すウイック１３は、高吸水性樹脂を原料としたものであって、例えばデンプン、アクリル酸グラフト重合体部分ナトリウム塩、アクリル酸重合体部分ナトリウム塩架橋等による多孔質体である。この高吸水性樹脂は、親水性であるイオン基を有した分子鎖が３次元架橋された構造をしており、自重の約２００〜１０００倍もの液体を吸収してゲル状になるという特性を有している。そして、これらのウイック１３の外周面が、チューブ９の内周面（より正確には溝１４同士の間のいわゆる山の部分）に密着している。また、ウイック１３は中心部に貫通孔を形成するように蒸発部コンテナ１２の内部に配置されており、この貫通孔が作動流体８の液流路１８とされている。
【００２０】
また、前記チューブ９の流出ポート１７側の端部には、アイソレータ１９が設けられている。このアイソレータ１９は、液相の作動流体８が流入ポート１６側に逆流することを防止するためのものであって、液相作動流体８が浸透することのない金属板などの平板体に、流入ポート１６側の開口径が小さくなる複数のテーパー孔を形成したものである。
【００２１】
上記の熱交換システムは、重力のある環境および無重力環境のいずれでも使用できる。すなわち、蒸発部コンテナ１２の内部には液相の作動流体８が供給されていてウイック１３が作動流体８で湿潤した状態となっている。この状態で蒸発部２に対して外部から熱が与えられると、蒸発部コンテナ１２の内面に接触し、もしくはその近辺にある液相の作動流体８が加熱されて蒸発する。
【００２２】
ウイック１３の外周部において作動流体８の蒸発が生じることによって、ウイック１３の空孔における開口端にメニスカスが生じ、あるいは空孔での液面が低下するので、毛細管圧力による吸引力が生じる。したがって、ウイック１３においては、その液流路１８を通っている液相の作動流体８が、外周面に分散するように供給される。
【００２３】
また、高吸水性樹脂であるウイック１３に作動流体８が接触すると、ウイック１３のイオン基（例えば水酸基）を有した分子鎖は親水性であるため前記分子鎖が広がり、分子鎖によって形成される空孔が拡張する。同時にウイック１３の内部におけるイオン濃度が、外部の作動流体８よりも高いことによって浸透圧が生じ、前記拡張された空孔に液相の作動流体８が入り込んでゲル状になる。したがって、ウイック１３に毛細管圧力による吸引力に、浸透圧による吸引力と、前記分子鎖の拡張作用による吸引力とが加わるため、従来のウイックよりも高い吸引力を得ることができる。その結果、蒸発部コンテナ１２の内周面のほぼ全体に対して液相の作動流体８が供給され、蒸発部２における実質的な入熱面積を広くすることができる。同時に、ウイック１３は従来の金属性のウイックよりも軽いため、熱交換システム１の軽量化を実現できる。
【００２４】
一方、加熱されて蒸発した作動流体蒸気１５は溝１４に流れ込む。そして作動流体蒸気１５はその溝１４から流出ポート１７を介して蒸気管５に流出する。すなわち、溝１４が蒸気流路として機能するため、作動流体蒸気１５が蒸発部コンテナ１２の内部を円滑に流動する。その結果、作動流体８による熱輸送量が増大し、ひいてはヒートパイプ１全体としての熱輸送能力が向上する。
【００２５】
そして、作動流体蒸気１５は蒸気管５を介して凝縮部３に至り、ここで外部に熱を放出して凝縮する。その結果生じた液相の作動流体８は、液戻り管４を介して蒸発部２に還流する。
【００２６】
上述のヒートパイプ１における液戻り管４の内部に、例えば、図４に示すようにウイックを配設することもできる。この図４に示すウイックの構成を説明すると、まず、液戻り管４の半径方向に金網等によるウイック２１を設ける。そして、このウイック２１の内周側にウイック１３Ａが設けられ、さらに、液戻り管４の長手方向の所定位置で、ウイック１３Ａが複数に分割されるように前記ウイック２１が配置される。なお、ウイック１３Ａは、上述のウイック１３と同一あるいは同等の材料で形成されている。すなわち、液戻り管４の内部において、作動流体８の流動方向に対して、所定間隔でウイック１３Ａとウイック２１とが交互に配置されており、ウイック２１がウイック１３Ａに対していわゆる敷居となる状態で配置されている。さらに、このウイック２１とウイック１３Ａとによるウイック構造体の端部が、液戻り管４の内部から蒸発部２の内部に挿入されており、蒸発部２の内部において、前記ウイック構造体とウイック１３とが連通している。
【００２７】
さらに、図４に示す液戻り管４の外表面には断熱材２２が設けられており、液戻り管４の内部が所定温度となるように設定されている。なお、この例ではウイック１３Ａが、好適に正常動作を行う摂氏５０度程度に設定されている。また、断熱材２２の素材としては、低熱伝導率などの特性要求を満たす発泡性樹脂などが例示される。
【００２８】
したがって、液戻り管４の内部にウイック１３Ａが配設されているので、ウイック１３Ａには、所定量の液相の作動流体８が保持されるようになっている。すなわち、熱交換システム１において、蒸発部２に対して入熱がない場合、作動流体８は蒸発しない。したがって、作動流体８は液相の状態で、蒸発部２よりも相対的に下方に配置されている凝縮部３の内部に滞留する。凝縮部３と液戻り管４とは連通されているので、作動流体８が液戻り管４の内部のウイック１３Ａに接触し、作動流体８が上方に吸引され保持される。その結果、液戻り管４の内部に液相の作動流体８によるいわゆる水柱が形成される。そのため、蒸発部コンテナ１２に対する入熱の当初から、前記液戻り管４から蒸発部コンテナ１２の内部に液相の作動流体８が補充される。その結果、作動流体８の流動が円滑になって熱輸送量が増大し、熱交換システム１の冷却性能を向上できる。
【００２９】
また、断熱材２２によって液戻り管４の内部をウイック１３Ａが、好適に正常動作を行う温度に設定できる。その結果、ウイック１３Ａに効率よく吸引力が発生し、その結果、作動流体８の流動をさらに円滑にできる。
【００３０】
さらに、液戻り管４の内部のウイックを上記の構成とした場合、作動流体８が液戻り管４の内部のウイックに接触すると、前記ウイックによって液相の作動流体８が上方に吸引され、ウイック１３が内部に液相の作動流体８を保持して、ゲル状になる。液戻り管４の内部には、所定間隔でウイック２１が配置されているので、ゲル状になり重量が増加したウイック１３が、ウイック２１によって支持される。そのため、ゲル状となったウイック１３が重力によって下方に移動することを防止できるとともに、液相の作動流体８のみを上方に移動できる。その結果、液相の作動流体８が蒸発部２の内部に効率よく還流されるので、ヒートパイプ１がトップヒートモードとして使用された場合でもドライアウトが生じない。したがって、熱交換システムの冷却性能を向上できる。
【００３１】
なお、図４の例では液戻り管４の内部のウイックをウイック１３Ａとウイック２１とによって構成したが、この発明の熱交換システムの液戻り管の内部におけるウイックの構成は、上記の構成に限定されない。例えば、接着テープを予め管壁面に取り付けてウイック１３Ａを液戻り管４の内部に固定して、液戻り管４の内部のウイックをウイック１３Ａのみによって構成することもできる。その場合、上述の作用・効果に加え、さらに熱交換システムを軽量化できる。
【００３２】
また、図４の例において、液戻り管４の内部のみに高吸水性樹脂によるウイック１３Ａを配設し、蒸発部コンテナ１２の内部のウイックを従来のもの、あるいは蒸発部コンテナ１２の内部にウイックを配設しない場合でも、上述のように液戻り管４の内部に水柱が形成され、前記液戻り管４から蒸発部コンテナ１２の内部に液相の作動流体８を補充できる。したがって、熱交換システムの冷却性能を向上できる。
【００３３】
つぎに、この発明の他の例を説明する。図５の熱交換システムは、いわゆるヒートパイプ２３を主体として構成され、そのヒートパイプ２３を構成している気密状態に密閉した銅などによって形成される軸状体のコンテナ２４（中空密閉容器）の内部に、空気などの非凝縮性ガスを脱気した状態で水などの凝縮性の流体を作動流体８として封入し、さらにウイック１３がコンテナの内部に配設された熱伝導装置である。なお、コンテナ２４は銅製に限られないのであり、適宜の金属パイプが使用される。さらにまた、作動流体との濡れ性を向上させるために、コンテナ２４の内面に酸化被膜を形成してもよく、あるいはサンドブラストやエッチングなどによる粗面化処理を施してもよい。
【００３４】
上記の熱交換システムでは入熱があると、そして入熱部２５の内部の水などの作動流体８が、伝達された熱によって加熱されて蒸発し、その作動流体蒸気１５が放熱部２６の内側に流動する。作動流体蒸気１５は、放熱部２６において熱を外部に奪われ、放熱して凝縮し液化する。そして、放熱部２６において凝縮して液化した作動流体８が、ウイック１３に接触する。その場合、ウイック１３に毛細管圧力と、浸透圧と、前記分子鎖の拡張作用とによる吸引力が生じ、液相の作動流体８が放熱部２６側へ還流する。
【００３５】
したがって、上述の熱交換システムでは、コンテナ２４の内部にウイック１３が設けられていることにより、毛細管作用が顕著に働く。そのため、コンテナ２４の内部に封入してある作動流体の還流性が向上し、熱輸送量が増加する。また、ヒートパイプである熱交換システム軽量化できる。
【００３６】
なお、この発明の熱交換システムは、平板型ヒートパイプ、いわゆるベーパーチャンバーとすることもできる。このような場合、上述の効果に加えて、電子機器の内部等の限られたスペースに熱交換システムを配置する際の配置の自由度、あるいは設計の自由度を向上できる。
【図面の簡単な説明】
【００３７】
【図１】この発明に係る熱交換システムを示す断面図である。
【図２】図１のII−II線に沿う断面図である。
【図３】図１の熱交換システムの全体的な構成を示す模式的な図である。
【図４】この発明による他の熱交換システムの構成を示す模式的な図である。
【図５】この発明によるさらに他の熱交換システムの構成を示す模式的な図である。
【符号の説明】
【００３８】
１，２３…ヒートパイプ、  ２…蒸発部、  ３…凝縮部、  ４…液戻り管、  ５…蒸気管、  １２…蒸発部コンテナ、  １３，１３Ａ…ウイック、  ２４…コンテナ。
【図１】
2006275423.tif 000003
【図２】
2006275423.tif 000004
【図３】
2006275423.tif 000005
【図４】
2006275423.tif 000006
【図５】
2006275423.tif 000007